(57)【要約】      （修正有）【課題】必要な強度が確保された石材製の納骨堂及び納骨堂の組立方法を提供する。【解決手段】納骨堂は、多角形を構成する各辺に対応する位置に配置された、複数の壁面部材１２及び少なくとも１つの扉部１４と、隣り合う壁面部材１２及び扉部１４を連結し、多角形の対角線に対応する位置に配置された複数の連結部材１６と、複数の壁面部材１２及び複数の連結部材１６によって支持される天井部と、を備え、壁面部材１２、扉部１４、及び連結部材１６が石材によって形成されている。【選択図】図２
2016204899.tif 000002
【特許請求の範囲】
【請求項１】
多角形を構成する辺に対応する位置に配置された、複数の壁面部材及び少なくとも１つの扉部と、
隣り合う前記壁面部材及び前記扉部を連結し、前記多角形の対角線に対応する位置に配置された複数の連結部材と、
前記複数の壁面部材及び前記複数の連結部材によって支持される天井部と、を備え、
前記壁面部材及び前記連結部材が石材によって形成されている納骨堂。
【請求項２】
請求項１記載の納骨堂において、
該納骨堂の内部空間の中心部に、石材によって形成され、前記天井部を支持する柱部を更に備えた納骨堂。
【請求項３】
請求項２記載の納骨堂において、
前記柱部は、断面が前記多角形となる角柱体である納骨堂。
【請求項４】
請求項２記載の納骨堂において、
前記柱部は、断面が前記多角形であり、各側面が板状部材で形成された中空の角柱体である納骨堂。
【請求項５】
請求項３又は４記載の納骨堂において、
前記壁面部材の上部に、該壁面部材を吊り下げるための吊り下げ孔及び換気口として機能する貫通孔が形成されている納骨堂。
【請求項６】
請求項２〜５のいずれか１項に記載の納骨堂の組立方法であって、
多角柱状の基礎を形成する工程と、
形成された基礎の上に沓石を設置する工程と、
前記沓石の上に前記複数の壁面部材及び前記複数の連結部材を設置する工程と、
前記複数の壁面部材及び後の工程にて設置される前記扉部によって形成される多角形状の空間の中央部に前記柱部を設置する工程と、
前記扉部を設置する工程と、
前記天井部を前記複数の壁面部材、前記扉部、前記複数の連結部材、及び前記柱部の上に設置する工程と、を含む納骨堂の組立方法。
【発明の詳細な説明】
【技術分野】
【０００１】
本発明は、納骨堂及び納骨堂の組立方法に関する。
【背景技術】
【０００２】
特許文献１には、立体墓地が記載されている。この立体墓地は平面視八角形に形成され、床を右回りに上昇する螺旋状に形成して隣接する床と段差で隔てられた平坦な床が連続して設けられている。
【先行技術文献】
【特許文献】
【０００３】
【特許文献１】特開２００１−３２５７２号公報
【発明の概要】
【発明が解決しようとする課題】
【０００４】
納骨堂を石材で構成した場合、石材は重量物であるため、構造物としての強度が不足する可能性がある。
本発明は、必要な強度が確保された石材製の納骨堂及び納骨堂の組立方法を提供することを目的とする。
【課題を解決するための手段】
【０００５】
前記目的に沿う第１の発明に係る納骨堂は、多角形を構成する辺に対応する位置に配置された、複数の壁面部材及び少なくとも１つの扉部と、
隣り合う前記壁面部材及び前記扉部を連結し、前記多角形の対角線に対応する位置に配置された複数の連結部材と、
前記複数の壁面部材及び前記複数の連結部材によって支持される天井部と、を備え、
前記壁面部材及び前記連結部材が石材によって形成されている。
【０００６】
第１の発明に係る納骨堂において、
該納骨堂の内部空間の中心部に、石材によって形成され、前記天井部を支持する柱部を更に備えることが好ましい。
【０００７】
第１の発明に係る納骨堂において、
前記柱部は、断面が前記多角形となる角柱体であることが好ましい。
【０００８】
第１の発明に係る納骨堂において、
前記柱部は、断面が前記多角形であり、各側面が板状部材で形成された中空の角柱体であることが好ましい。
【０００９】
第１の発明に係る納骨堂において、
前記壁面部材の上部に、該壁面部材を吊り下げるための吊り下げ孔及び換気口として機能する貫通孔が形成されていることが好ましい。
【００１０】
前記目的に沿う第２の発明に係る納骨堂の組立方法は、第１の発明に係る納骨堂の組立方法であって、
多角柱状の基礎を形成する工程と、
形成された基礎の上に沓石を設置する工程と、
前記沓石の上に前記複数の壁面部材及び前記複数の連結部材を設置する工程と、
前記複数の壁面部材及び後の工程にて設置される前記扉部によって形成される多角形状の空間の中央部に前記柱部を設置する工程と、
前記扉部を設置する工程と、
前記天井部を前記複数の壁面部材、前記扉部、前記複数の連結部材、及び前記柱部の上に設置する工程と、を含む。
【発明の効果】
【００１１】
本発明によれば、必要な強度が確保された石材製の納骨堂及び納骨堂の組立方法を提供できる。
【図面の簡単な説明】
【００１２】
【図１】本発明の一実施の形態に係る納骨堂の外観図である。
【図２】同納骨堂の内部構造を示す平面図である。
【図３】（Ａ）、（Ｂ）は同納骨堂の第１の組立工程を示す説明図である。
【図４】（Ａ）、（Ｂ）は、それぞれ同納骨堂の第２の組立工程及び第３の組立工程の一部を示す説明図である。
【図５】（Ａ）、（Ｂ）は、それぞれ同納骨堂の第３の組立工程の一部及び第４の組立工程を示す説明図である。
【図６】同納骨堂の第５の組立工程を示す説明図である。
【図７】（Ａ）、（Ｂ）は、同納骨堂の第６の組立工程の一部を示す説明図である。
【図８】（Ａ）、（Ｂ）は、それぞれ同納骨堂の第６の組立工程の一部及び第７の組立工程を示す説明図である。
【図９】（Ａ）、（Ｂ）は、それぞれ同納骨堂の第８及び第９の組立工程を示す説明図である。
【発明を実施するための形態】
【００１３】
続いて、添付した図面を参照しつつ、本発明を具体化した実施の形態につき説明し、本発明の理解に供する。なお、図において、説明に関連しない部分は図示を省略する場合がある。
【００１４】
本発明の一実施の形態に係る納骨堂１０は、図１及び図２に示すように、平面視した内部空間の形状が八角形状（多角形状）であり、納骨堂１０を構成する各部材の材質が主として花崗岩（石材の一例）となっている。
納骨堂１０は、複数の壁面部材１２、少なくとも１つの扉部１４、複数の連結部材１６、柱部１８、複数の分割天板２０、中央天板２２、及び二重塔２４を備えている。
【００１５】
壁面部材１２は７つ設けられており、それぞれ上下方向に延びる板状部材である。各壁面部材１２の上側の端面及び下側の端面は、それぞれ等脚台形状となっている。各壁面部材１２の材質は花崗岩である。
各壁面部材１２は、平面視して八角形を構成する辺に対応する位置に配置される。
各壁面部材１２の上部には、貫通孔１２２が形成されている。この貫通孔１２２は、組み立ての際に壁面部材１２を吊り下げるための吊り下げ孔として機能し、組立後は換気口として機能する。
【００１６】
扉部１４は、枠体１４２及び観音開きの扉１４４を有し、平面視して八角形を構成する辺に対応する位置に配置される（図６参照）。扉部１４の上下方向の寸法は、壁面部材１２の上下方向の寸法と実質的に同一となっている。枠体１４２及び扉１４４の材質は、それぞれ花崗岩である。扉１４４は、開閉可能となるように枠体１４２に取り付けられている。
このように、各壁面部材１２材及び扉部１４は、図１及び図２に示すように、平面視して八角形を構成する各辺に対応する位置に配置される。従って、納骨堂１０には、壁面部材１２及び扉部１４によって、八角柱状の内部空間が形成される。
【００１７】
複数の連結部材１６は８つ設けられており、それぞれ上下方向に延びる矩形状の板状部材である。各連結部材１６の上下方向の寸法は、壁面部材１２の上下方向の寸法と実質的に同一となっている。各連結部材１６の材質は花崗岩である。
各連結部材１６は、平面視して、八角形の対角線に対応する位置に配置され、連結部材１６の一方の側の端部（外側端部）は、納骨堂１０の外側に面し、八角形の頂点に対応する位置にある。
各壁面部材１２の左右の端部及び扉部１４の左右の端部は、各連結部材１６の外側端部とアイバ金具により連結される。すなわち、各連結部材１６は、隣り合う壁面部材１２及び扉部１４を連結できる。
各連結部材１６の上部には、貫通孔１６２（図４（Ｂ）参照）が形成されている。この貫通孔１６２は、組み立ての際に連結部材１６を吊り下げるための吊り下げ孔として機能する。
【００１８】
柱部１８は、八角柱状の中実の柱状体であり、上下方向の寸法が壁面部材１２よりも長くなっている。柱部１８の材質は花崗岩である。
柱部１８は、壁面部材１２及び扉部１４によって形成された八角柱状の内部空間の中心部に配置される。柱部１８は、柱部１８の各側面が壁面部材１２及び扉部１４に対向する向きで設置されていることが好ましい。
柱部１８は、中実の角柱体に限定されるものではなく、各側面が板状部材（不図示）で形成された中空の柱状体であってもよい。ただし、各板状部材の材質は、花崗岩である。
【００１９】
分割天板２０は８つ設けられており、それぞれ平面視して等脚台形状の板状部材である（図７（Ａ）参照）。各分割天板２０の材質は花崗岩である。
分割天板２０は、壁面部材１２及び扉部１４によって形成された八角柱状の内部空間の上部を覆い、平面視して八角形状の内部空間の中央部を除いた部分に配置される。等脚台形状の各分割天板２０は、等脚台形の下底に対応する端部が壁面部材１２又は扉部１４によって支持され、等脚台形の脚に対応する各端部が連結部材１６によって支持される。
【００２０】
中央天板２２（図８（Ａ）参照）は、平面視して台形状の板状部材である。中央天板２２の材質は花崗岩である。
中央天板２２は、内部空間の中央上部に配置される。中央天板２２は、中央部が柱部１８によって支持され、各端部が分割天板２０の等脚台形の上底に対応する端部によって支持される。中央天板２２は、左右２つに分割して構成されている。
中央天板２２の中央部には、採光用の窓２２２が４箇所設けられている。
なお、複数の分割天板２０及び中央天板２２により、納骨堂の天井部が構成される。
【００２１】
二重塔２４は、図１に示すように、中央天板２２の上に、矩形の枠状の沓石２６を介して設置される。
【００２２】
このように、納骨堂１０においては、複数の壁面部材１２及び扉部１４が、平面視して八角形を構成するように配置され、これら複数の壁面部材１２及び扉部１４が連結部材１６を介して連結されている。また、これら複数の壁面部材１２、扉部１４、及び複数の連結部材１６によって天井部が支持されている。
従って、納骨堂１０においては、必要な強度が確保される。
【００２３】
次に、納骨堂１０の組立方法（製造方法）について説明する。納骨堂１０は、以下の組立工程に従って組み立てられ、設置される。ただし、可能な場合には、各組立工程は順番を入れ替えて実施されてもよいし、並行して実施されてもよい。
【００２４】
（第１の組立工程）
基礎３０となるコンクリートを打つ（図３（Ａ）参照）。基礎３０の形状は八角柱状である。
その後、基礎３０の各側面に巾木３４を接着する（図３（Ｂ）参照）。接着剤は、例えばエポキシ系樹脂である。
【００２５】
（第２の組立工程）
基礎３０の上に、一方向に延びる板状の沓石（以下、「長沓石」という。）３２を設置する（図４（Ａ）参照）。長沓石３２は、基礎３０から上方に突出するアンカー３６を用いて固定される。
【００２６】
（第３の組立工程）
長沓石３２の上に壁面部材１２及び連結部材１６を設置する（図４（Ｂ）参照）。壁面部材１２及び連結部材１６は、それぞれ上部に形成された貫通孔１２２、１６２を用いて吊り下げられ、設置される。壁面部材１２及び連結部材１６は、それぞれアイバ金具を用いて長沓石３２に固定される。
隣り合う壁面部材１２及び連結部材１６は、互いにアイバ金具を用いて固定される（図５（Ａ）参照）。すなわち、壁面部材１２は、連結部材１６によって連結される。
なお、壁面部材１２が設置された後、貫通孔１２２には、ステンレス換気口が取り付けられ、貫通孔１２２は換気口として使用される。
【００２７】
（第４の組立工程）
壁面部材１２及び連結部材１６によって形成される、平面視して台形状の空間に、納骨棚４０を設置する（図５（Ｂ）参照）。また、複数の壁面部材１２及び次工程にて設置される扉部１４によって形成される八角柱状の内部空間の中央部に、柱部１８を設置する。柱部１８は、各側面が壁面部材１２に対向するように長手方向軸回りの位置（方向Ｒの位置）が調整され、設置される。
【００２８】
（第５の組立工程）
扉部１４を設置する（図６参照）。
【００２９】
（第６の組立工程）
各分割天板２０を壁面部材１２及び連結部材１６の上に設置する（図７（Ａ）参照）。隣り合う分割天板２０は、互いにアイバ金具を用いて固定される（図７（Ｂ）参照）。
その後、分割天板２０の目地を板状部材４２で覆い、中央天板２２を柱部１８及び分割天板２０の上に設置する（図８（Ａ）参照）。
すなわち、本組立工程により、天井部が複数の壁面部材１２、扉部１４、複数の連結部材１６、及び柱部１８の上に設置される。
【００３０】
（第７の組立工程）
中央天板２２の上に、二重塔２４が載る沓石２６を設置する（図８（Ｂ）参照）。
【００３１】
（第８の組立工程）
沓石２６の上に、二重塔２４の下段の壁面部材２４４を設置する（図９（Ａ）参照）。壁面部材２４４には、採光用の窓２４６が設けられている。従って、窓２４６及び中央天板２２に設けられた窓２２２（図８（Ａ）参照）を介して、外部の光が納骨堂１０の内部へと導かれる。
【００３２】
（第９の組立工程）
壁面部材２４４の上に、二重塔２４の中段の屋根２４８を設置する（図９（Ｂ）参照）。
【００３３】
（第１０の組立工程）
屋根２４８の上に二重塔２４の上段部を設置すると、図１に示す納骨堂１０が完成する。
納骨堂１０は、以上の組立工程を経て組み立てられ、必要な強度が確保される。
【００３４】
以上、本発明の実施の形態を説明したが、本発明は、上記した形態に限定されるものでなく、要旨を逸脱しない条件の変更等は全て本発明の適用範囲である。
納骨堂の内部空間を平面視した形状は三角形状を除く多角形状であってもよい。その際、柱部の断面も、内部空間を平面視した多角形状となることが好ましい。例えば、納骨堂を平面視した形状が五角形状であれば、柱部の断面も五角形状となり、納骨堂を平面視した形状が六角形状であれば、柱部の断面も六角形状となることが好ましい。
【００３５】
石材の種類は、花崗岩に限定されるものではない。
扉部は、１つに限定されるものではなく、複数設けられていてもよい。また、扉部を構成する枠体及び扉の材質は石材に限定されるものではなく、少なくとも一方の材質が金属であってもよい。
【符号の説明】
【００３６】
１０  納骨堂
１２  壁面部材
１４  扉部
１６  連結部材
１８  柱部
２０  分割天板
２２  中央天板
２４  二重塔
２６  沓石
３０  基礎
３２  沓石
３４  巾木
３６  アンカー
４０  納骨棚
４２  板状部材
１２２  貫通孔
１４２  枠体
１４４  扉
１６２  貫通孔
２２２  窓
２４４  壁面部材
２４６  窓
２４８  屋根
【図１】
2016204899.tif 000003
【図２】
2016204899.tif 000004
【図３】
2016204899.tif 000005
【図４】
2016204899.tif 000006
【図５】
2016204899.tif 000007
【図６】
2016204899.tif 000008
【図７】
2016204899.tif 000009
【図８】
2016204899.tif 000010
【図９】
2016204899.tif 000011